(57)【要約】【課題】簡単な形式で且つ明確に減少された時間消費で航空機の機内調理室の改造を可能とし、他の座列用の場所を準備し、この場合にそれにもかかわらず、高い安全基準を満たし、異なった方向に生じる力を受ける装置を提供すること。【解決手段】この発明は、飛行方向に客室床に敷設された座席レール（６）に航空機の機内調理室（２）における戸棚或いはそのような取付け装備要素を取外し可能に床固定する装置に関する。再配列が簡単な形式で減少された時間消費で行われ、その列の座席の空間を備えて、種々の方向における大きな力が吸収される。調理室ユニット（２；５）を支持して採用する迅速固定手段（１）が上から下へ連続的に構成部材として緊張レバー（７）、下部材（３；１０３）と座席レール（６）の格子溝（１５）に作用する溝石（１３）を有し、これら構成部材が中央に一直線に並んでいる孔に設けられた螺子ボルト手段（１８；１８ａ，１８ｂ）上に迅速固定手段（１）の緊張されない状態に一体化されたバネ手段（１４）により作用されて少なくとも溝石（１３）の運動遊びを許容するルーズな関係で予め組み立てられる。
2011515262.tif 000002
【特許請求の範囲】
【請求項１】
飛行方向に客室床に敷設された座席レール（６）に航空機の機内調理室（２）における戸棚或いはそのような取付け装備要素を取外し可能に床固定する装置において、調理室ユニット（２；５）を支持して採用する迅速固定手段（１）が上から下へ連続的に構成部材として緊張レバー（７）、下部材（３；１０３）と座席レール（６）の格子溝（１５）に作用する溝石（１３）を有し、これら構成部材が中央に一直線に並んでいる孔に設けられた螺子ボルト手段（１８；１８ａ，１８ｂ）上に迅速固定手段（１）の緊張されない状態に一体化されたバネ手段（１４）により作用されて少なくとも溝石（１３）の運動遊びを許容するルーズな関係で予め組み立てられることを特徴とする装置。
【請求項２】
バネ手段（１４）が圧縮ばねとして形成されて、溝石（１３）に支持されて下部材（３；３ｂ）に挿入できる溝石（１３）のヘッドジャーナル（１２）に拡がる錠止め石（１１）に閉じ込められることを特徴とする請求項１に記載の装置。
【請求項３】
下部材（３；３ｂ）の貫通孔（１６）内で錠止め石（１１）の上部に同心円に一つの内外偏心ブッシュ（１７ａ，１７ｂ）が配置されていることを特徴とする請求項２に記載の装置。
【請求項４】
少なくとも座席レール（６）の格子溝（１５）の縦辺に向いた錠止め石（１１）の両側面が鍵面（２７）として形成されていることを特徴とする請求項１乃至３のいずれか一項に記載の装置。
【請求項５】
緊張レバー（７）が圧縮部材（１０）に配置されていることを特徴とする請求項１乃至４のいずれか一項に記載の装置。
【請求項６】
下部材（３）が案内レール（６）の格子溝（１５）に沈漬する両側面側案内ウエブ（２６）を形成していることを特徴とする請求項１乃至５のいずれか一項に記載の装置。
【請求項７】
下部材（３）が二部材であり、床部材（３ｂ）とヘッド部材（３ａ）とから成ることを特徴とする請求項１乃至６のいずれか一項に記載の装置。
【請求項８】
一部材の下部材（１０３）では、緊張レバー（７）が圧縮部材（１０）を備えて上部材（２０）の窓（２１）で下窓ウエブ（２２）に配置されていることを特徴とする請求項１乃至６のいずれか一項に記載の装置。
【請求項９】
螺子ボルト手段（１８）が溝石（１３）の立ちボルト（１８ａ）として形成されていて、この立ちボルトには、緊張レバー（７）からナット（２５）がねじ込まれ得ることを特徴とする請求項１乃至８のいずれか一項に記載の装置。
【請求項１０】
螺子ボルト手段（１８）がそのヘッド（１９）により緊張レバー（７）に載置してその他端により溝石（１３）にねじ込まれるボルト（１８ｂ）であることを特徴とする請求項１乃至８のいずれか一項に記載の装置。
【請求項１１】
機内調理室或いは機内調理室据付けユニットが少なくとも四つの分布されて設けられた迅速固定手段（１）上に配置されていることを特徴とする請求項１乃至１０のいずれか一項に記載の装置。
【発明の詳細な説明】
【技術分野】
【０００１】
この発明は、飛行方向に客室床に敷設された座席レールに航空機の機内調理室における戸棚或いはそのような取付け装備要素を取外し可能に床固定する装置に関する。
【背景技術】
【０００２】
航空機のタイプと無関係に、複数の取付け装備要素から成る機内調理室がドア領域に飛行方向に或いは飛行方向を横切って客室の床構造に係留された座席レールに取付けられる。さらに、機内調理室或いはその要素ユニットが覆いを介して航空機に固定される。この場合には、床固定は機内調理室における負荷と力経過に応じて力をＸ方向とＹ方向並びにＺ方向に受けなければならない。
【０００３】
今までのプラクテイスで知られた固定は、所定トルクによるねじ結合部によって行われる。組み立てられたねじが優先的に縦力により、即ち垂直なＺ方向の作用により負荷される。飛行方向、即ちＸ方向と横方向、即ちＺ方向に作用する力を受けるために、追加的措置が行われる。座席容積が航空機において変更されるならば、ねじ結合部による通常床固定が高い組立て費用と特殊な工具を必要とする。このために、即ち完全機内調理室が移動されなければならない。
【先行技術文献】
【特許文献】
【０００４】
【特許文献１】米国特許第４２１３５９３号明細書
【特許文献２】欧州特許出願公開第１８９２１４２号明細書
【発明の概要】
【発明が解決しようとする課題】
【０００５】
この発明の課題は、簡単な形式で且つ明確に減少された時間消費で航空機の機内調理室の改造を可能とし、他の座列用の場所を準備し、この場合にそれにもかかわらず、高い安全基準を満たし、異なった方向に生じる力を受ける前記種類の装置を提供することである。
【課題を解決するための形態】
【０００６】
この課題は、この発明によると、調理ユニットを支持して採用する迅速固定手段が上方から下方へ連続的に構成部材として緊張レバー、下部材と座席レールの格子溝に作用する溝石を有し、これら構成部材が中央に一直線に並んでいる孔に設けられた螺子ボルト手段上に迅速固定手段の緊張されない状態に一体化されたバネ手段によって作用されて少なくとも溝石の運動遊びを許容するルーズな関係により予め組み立てられていることによって、解決される。これにより運動遊びにもかかわらず使用のために完全仕上げで予め組み立てられて一体化された迅速固定手段が達成される。段階的調整或いは調整摺動を可能とする座席レールの格子溝に導入した後に緊張レバーのみがバネ手段の力に逆らって旋回されて、迅速固定手段を確実に座席レール上に固定させる。
【０００７】
この発明の提案によると、機内調理室或いは据付け要素ユニットが少なくとも四つの分布されて設けられた迅速固定手段上に配置されている。これにより荷重分布が複数の固定点、例えば機内調理室或いは一体化された要素ユニットのすべての壁に生じる。緊張レバーの錠止め位置とそれと共に現れるすべての構成部材の固定への旋回によって、ルーズに予め組み立てられた迅速固定手段の全自由度が禁止される。
【０００８】
改造が必要とされるならば、改造は同様に工具なしに且つ最短時間で実施すべきである。というのは、緊張レバーのみが逆方向、即ち開放された位置に旋回されることを要するからである。それによりこの発明による迅速固定手段により達成された形式一体化と力一体化が向上されて、複数の迅速固定手段により支持された調理室或いは個別に上下に且つ並んで或いはそのいずれかに構成された棚要素などが溝石により座席レールを摺動する迅速固定手段を介して所望位置に移動され得る。迅速固定手段及び／又は座席レールの座席レールに摺動する領域が摺動を必要とする被覆、例えばテフロンを備えているならば、迅速固定手段の移動特性が助成され得る。
【０００９】
この発明の好ましい実施例は、バネ手段が圧縮ばねとして形成されて、溝石に支持されて下部材に装入でき、溝石のヘッドジャーナルに拡がる錠止め石により閉鎖されることを企図する。緊張レバーの開放の際に外方に完全に封じ込まれたばねが溝石から際立って見える錠止め石を上方へ押圧し、これを開放するので、その後に完全床固定の移動が可能である。
【００１０】
他の好ましい提案によりこの発明によると、少なくとも案内レールの格子溝の縦辺に向いた両側面が鍵面として形成されているならば、特に錠止め石が全体として正方形であるならば、特にＸ方向且つＹ方向に生じる力を受ける錠止め石がその他に、移動の際に溝石の傾斜を阻止するのに適している。溝石の傾斜を阻止するために、同様に、迅速固定手段の下部材が案内レールの格子溝に沈漬する両側案内ウエブにより形成されるならば、役立っている。
【００１１】
この発明の提案によると、下部材の貫通孔に錠止め石の上部に同心円に内外偏心ブッシュが配置されている。偏心ブッシュの調整によって、組み立ての際に航空機側公差を補償し、微調整を行うことを可能とする。
【００１２】
特に緊張レバーが圧縮部材上に配置されているならば、この圧縮部材が実質的に緊張レバーに伝達された荷重を受けるのに役立つ。
【００１３】
この発明の実施例は、下部材が二つの部材であり、床部材とヘッド部材とから成ることを企図する。一部材の下部材を備える他の実施例によると、圧縮部材を備える緊張レバーが上部材の窓で下窓ウエブに配置されている。一部材の下部材とその上に配置された上部材とを備える迅速固定手段が細く高く形成され得る、というのは、例えば他の偏心器が、それが必要とされるならば、Ｚ方向に公差を微調整するか、或いは補償するために、上部材に設けられているからである。
【００１４】
すべての必要な構成部材の一直線に並んで延びている孔を通して結合のために差し込まれた螺子ボルト手段は溝石のウエブボルトとして形成され得て、ウエブボルトでは緊張レバーからナットが緩め取り出しできる。選択的提案は、螺子ボルト手段がそのヘッドにより緊張レバー内に載置して他端により溝石にねじ込まれるねじであることを企図する。
【００１５】
この発明の他の特徴と詳細部は、請求項と、この発明の図面に図示された実施例の次の詳細な説明とから与えられる。
【図面の簡単な説明】
【００１６】
【図１】この迅速固定手段により支持されて示された機内調理室要素を備える航空機の座席レールに固定された迅速固定手段を細部として前面図で示す。
【図２】図１の線Ｂ−Ｂに沿う断面で迅速固定手段を示す。
【図３】線Ａ−Ａに沿う断面で図１による迅速固定手段を拡大された表示で示す。
【図４】図１の対象を斜視表示で示す。
【図５】図４の対象を他の斜視表示で、迅速固定要素の移動するために、開放された緊張レバーに対して左下に座席レールの上部に切断されて図示されている。
【図６】図１の迅速固定手段を斜視分解表示で示す。
【図７】迅速固定手段の他の実施例を斜視分解表示で示す。
【図８】個別の構成部材の結合する他の螺子ボルト配列を備える図７による表示で示す。
【発明を実施するための形態】
【００１７】
図１乃至６に図示された迅速固定手段１は、複数のこの迅速固定手段１が分布されて配置されていて、機内調理室或いは複数の棚要素などから構成された機内調理室ユニット２を支持する。これにより、迅速固定手段１の下部材３に窪み４（図５を参照）により差し込まれた壁５のみが示されている。機内調理室ユニット２は、迅速固定手段１を介して平行に延びている座席レール６に固定されている。壁に対して結合体としての迅速固定手段１は座席レール６の縦方向に、或いはそれを横切って配置され得る。迅速固定手段１の緊張レバー７が錠止め位置に高く旋回されて壁５の窪みに沈漬する位置を採用する。それに対して、図５では、解錠されて機内調理室２の壁５から外方へ突き出す緊張レバー７の旋回位置を認識すべきである。
【００１８】
詳細に図３乃至６に取り上げるように、緊張要素は上から下へ、即ち座席レール６に対して複数の構成部材から組み立てられる。緊張レバー７はＵ字形状部材８に軸線９を中心に旋回自在に支承されて下部材に圧縮部材によって支持される。下部材３は二部材であり、ヘッド部材３ａと床部材３ｂとから成る。この床部材３ｂには、錠止め石１１が配置されていて、錠止め石１１が溝石１３のヘッドジャーナル１２に広がり、圧縮ばね１４として形成されて、ヘッドジャーナル１２に支持するバネ手段１４を閉じ込める。
【００１９】
溝石１３は段階的調整するように形成された座席レール６の格子溝１５に作用する（図６を参照）。錠止め石１１の上部には下部材３或いはヘッド部材３ａの貫通孔１６に一つの内外偏心ブッシュ１７ａ或いは１７ｂが配置されている。すべての前記構成部材は一つの螺子ボルト手段１８により結合されて、この螺子ボルト手段は下部材３の貫通孔１６と一致するすべての構成部材の孔を通して差し込まれて、ねじヘッド１９により緊張レバー７のＵ字形状部材８上に載置して、その下端により溝石１３にねじ込まれる。
【００２０】
迅速固定手段の図７と８に図示された態様は、前記実施例とは、実質的に単に、平らで細い下部材１０３とその上に配置されてより高く構成する上部材２０とが設けられていることを相違する。上部材は窓２１を形成していて、その下窓ウエブ２２には圧縮部材１０が緊張レバー７とＵ字形状部材８に載置する。図１乃至６による実施例では、ヘッド部材３ａが機内調理室２の壁部材５に挿入させる尖端側溝２３を備えていて、ここで上部材２０がそのような尖端側窪み溝２４を有する。図７の交互に、螺子ボルト手段が図１乃至６に基づく実施例では溝石１３にねじ込まれ得るボルト１８ａが形成されていて、図８によると、螺子手段が溝石１３に一体化された立ちボルト１８ａであり、ボルトには上からＵ字形状部材８にナット２５がねじ込まれる。
【００２１】
下部材３の床部材３ｂの細い床側案内ウエブ２６（図６を参照）或いは少なくとも格子溝１５の辺に沿って延びていて、座席レール６の格子溝１５に沈漬する鍵面２７を備える錠止め石１１の構成によって、格子溝１５への移動の際に固定手段１の傾斜が阻止されている。
【００２２】
各場合には、バネ手段／圧縮ばね１４に逆らって迅速固定手段１の構成部材のルーズな結合により簡単な移動が可能とされ、これに対して固定位置（図１と３を参照）に緊張レバー７の旋回の際に飛行稼働のすべての要件に正確になる錠止めが座席レール６に保証されている。
【符号の説明】
【００２３】
１．．．．．迅速固定手段
２．．．．．機内調理室／機内調理室ユニット
３，１０３．．．下部材
３ａ．．．．ヘッド部材
３ｂ．．．．床部材
４．．．．．窪み
５．．．．．壁
６．．．．．座席レール
７．．．．．緊張レバー
８．．．．．Ｕ字形状部材
９．．．．．軸線
１０．．．．圧縮部材
１１．．．．錠止め石
１２．．．．ヘッドジャーナル
１３．．．．溝石
１４．．．．バネ手段／圧縮ばね
１５．．．．格子溝
１６．．．．貫通孔
１７ａ．．．内偏心ブッシュ
１７ｂ．．．外偏心ブッシュ
１８．．．．螺子ボルト手段
１８ａ．．．立ちボルト
１８ｂ．．．ボルト
１９．．．．ネジヘッド
２０．．．．上部材
２１．．．．窓
２２．．．．窓ウエブ
２３．．．．尖端側溝
２４．．．．窪み溝
２５．．．．ナット
２６．．．．案内ウエブ
２７．．．．鍵面
【図１】
2011515262.tif 000003
【図２】
2011515262.tif 000004
【図３】
2011515262.tif 000005
【図４】
2011515262.tif 000006
【図５】
2011515262.tif 000007
【図６】
2011515262.tif 000008
【図７】
2011515262.tif 000009
【図８】
2011515262.tif 000010
【手続補正書】
【提出日】平成21年1月18日(2009.1.18)
【手続補正１】
【補正対象書類名】特許請求の範囲
【補正対象項目名】全文
【補正方法】変更
【補正の内容】
【特許請求の範囲】
【請求項１】
緊張レバー（７）、下部材（３；１０３）と座席レール（６）の格子溝（１５）に作用する溝石（１３）、螺子ボルト手段（１８；１８ａ，１８ｂ）とバネ手段（１４）を包含し、飛行方向に客室床に敷設された座席レール（６）に航空機の機内調理室（２）における戸棚或いはそのような取付け装備要素を取外し可能に床固定する装置において、迅速固定手段（１）が調理室ユニット（２；５）の窪み（４）により下部材（３；１０３）に挿入された壁（５）に対する結合体として上から下へ連続的に構成部材として緊張レバー（７）、下部材（３；１０３）と座席レール（６）の格子溝（１５）に作用する溝石（１３）を有し、これら構成部材が中央に一直線の並んでいる孔に設けられた螺子ボルト手段（１８；１８ａ，１８ｂ）上に迅速固定手段（１）の緊張されない状態に一体化されたバネ手段（１４）により作用されて少なくとも溝石（１３）の運動遊びを許容するルーズな関係で予め組み立てられ、バネ手段（１４）が圧縮ばねとして形成されて、溝石（１３）に支持されて下部材（３；３ｂ）に挿入できる溝石（１３）のヘッドジャーナル（１２）に拡がる錠止め石（１１）に閉じ込められ、緊張レバー（７）の開放の際に溝石（１３）を開放する錠止め石（１１）をこの溝石から上方へ持ち上げることを特徴とする装置。
【請求項２】
下部材（３；３ｂ）の貫通孔（１６）内で錠止め石（１１）の上部に同心円に一つの内外偏心ブッシュ（１７ａ，１７ｂ）が配置されていることを特徴とする請求項１に記載の装置。
【請求項３】
少なくとも座席レール（６）の格子溝（１５）の縦辺に向いた錠止め石（１１）の両側面が鍵面（２７）として形成されていることを特徴とする請求項１或いは２に記載の装置。
【請求項４】
緊張レバー（７）が圧縮部材（１０）に配置されていることを特徴とする請求項１乃至３のいずれか一項に記載の装置。
【請求項５】
下部材（３）が案内レール（６）の格子溝（１５）に沈漬する両側面側案内ウエブ（２６）を形成していることを特徴とする請求項１乃至４のいずれか一項に記載の装置。
【請求項６】
下部材（３）が二部材であり、床部材（３ｂ）とヘッド部材（３ａ）とから成ることを特徴とする請求項１乃至５のいずれか一項に記載の装置。
【請求項７】
一部材の下部材（１０３）では、緊張レバー（７）が圧縮部材（１０）を備えて上部材（２０）の窓（２１）で下窓ウエブ（２２）に配置されていることを特徴とする請求項１乃至６のいずれか一項に記載の装置。
【請求項８】
螺子ボルト手段（１８）が溝石（１３）の立ちボルト（１８ａ）として形成されていて、この立ちボルトには、緊張レバー（７）からナット（２５）がねじ込まれ得ることを特徴とする請求項１乃至７のいずれか一項に記載の装置。
【請求項９】
螺子ボルト手段（１８）がそのヘッド（１９）により緊張レバー（７）に載置してその他端により溝石（１３）にねじ込まれるボルト（１８ｂ）であることを特徴とする請求項１乃至７のいずれか一項に記載の装置。
【請求項１０】
機内調理室或いは機内調理室据付けユニットが少なくとも四つの分布されて設けられた迅速固定手段（１）上に配置されていることを特徴とする請求項１乃至９のいずれか一項に記載の装置。
【手続補正２】
【補正対象書類名】図面
【補正対象項目名】図６
【補正方法】変更
【補正の内容】
【図６】
2011515262.tif 000011
【国際調査報告】
2011515262.tif 000012
2011515262.tif 000013
2011515262.tif 000014
2011515262.tif 000015